(57)【特許請求の範囲】
【請求項１】
コンテンツを再生するに際し、互いに情報の送受信を行う送信装置と受信装置において、前記送信装置がコンテンツの映像情報を符号化して前記受信装置に伝送し、前記受信装置が復号化して前記映像情報を再生すると共に、前記送信装置が前記コンテンツの音声情報を再生するＡＶ伝送方法であって、
前記送信装置は、入力された前記映像情報に包含された、再生タイミングのずれを検出するための基準信号を検出して、前記受信装置に対して送信した前記基準信号の送信時刻を管理し、
前記受信装置は、前記送信装置から送信された前記映像情報に包含された前記基準信号を再生して、再生した前記基準信号の再生時刻を前記送信装置に送信し、
前記送信装置は、前記基準信号の前記送信時刻と、前記受信装置から受信した前記基準信号の前記再生時刻とから、前記映像情報の再生タイミングのずれを算出することにより前記音声情報の遅延量を決定し、決定された前記遅延量だけ入力された前記音声情報の再生タイミングを遅延させることにより、前記映像情報における符号化及び復号化遅延や、前記受信装置に伝送する際の伝送遅延に起因する前記映像情報と前記音声情報の再生タイミングのずれを補正することを特徴とするＡＶ伝送方法。
【請求項２】
コンテンツを再生するに際し、互いに情報の送受信を行う送信装置と受信装置において、前記送信装置がコンテンツの音声情報を符号化して前記受信装置に伝送し、前記受信装置が復号化して前記音声情報を再生すると共に、前記送信装置が前記コンテンツの映像情報を再生するＡＶ伝送方法であって、
前記送信装置は、入力された前記音声情報に包含された、再生タイミングのずれを検出するための基準信号を検出して、前記受信装置に対して送信した前記基準信号の送信時刻を管理し、
前記受信装置は、前記送信装置から送信された前記音声情報に包含された前記基準信号を再生して、再生した前記基準信号の再生時刻を前記送信装置に送信し、
前記送信装置は、前記基準信号の前記送信時刻と、前記受信装置から受信した前記基準信号の前記再生時刻とから、前記音声情報の再生タイミングのずれを算出することにより前記映像情報の遅延量を決定し、決定された前記遅延量だけ入力された前記映像情報の再生タイミングを遅延させることにより、前記音声情報における符号化及び復号化遅延や、前記受信装置に伝送する際の伝送遅延に起因する前記映像情報と前記音声情報の再生タイミングのずれを補正することを特徴とするＡＶ伝送方法。
【請求項３】
コンテンツを再生するに際し、互いに情報の送受信を行う送信装置と受信装置において、前記送信装置がコンテンツの映像情報を符号化して前記受信装置に伝送し、前記受信装置が復号化して前記映像情報を再生すると共に、前記送信装置が前記コンテンツの音声情報を再生するＡＶ伝送装置であって、
前記送信装置は、
指定された遅延量だけ入力された音声情報の再生タイミングを遅延させる遅延部と、
入力された前記映像情報に包含された、再生タイミングのずれを検出するための基準信号を検出する映像入力検出部と、
前記映像入力検出部により検出された前記基準信号を、前記受信装置に対して送信した送信時刻を管理する送信時刻管理部と、
前記送信時刻管理部において管理されている前記送信時刻と、前記受信装置から受信した前記基準信号の再生時刻とから前記音声情報の遅延量を決定し、前記遅延部の遅延量を指定する遅延時間検出部と、を有し、
前記受信装置は、
前記基準信号が包含された前記映像信号を復号化する映像復号化部と、
前記映像復号化部において前記基準信号を再生したことを検出する映像再生検出部と、
前記映像再生検出部において検出された前記基準信号の前記再生時刻を管理し、前記再生時刻を前記送信装置に対して送信する再生時刻管理部と、を有し、
前記送信装置において、前記遅延時間検出部が、前記送信時刻と前記再生時刻とから、前記映像情報における符号化及び復号化遅延や、前記受信装置に伝送する際の伝送遅延に起因する前記映像情報と前記音声情報の再生タイミングのずれを補正することを特徴とするＡＶ伝送装置。
【請求項４】
コンテンツを再生するに際し、互いに情報の送受信を行う送信装置と受信装置において、前記送信装置がコンテンツの音声情報を符号化して前記受信装置に伝送し、前記受信装置が復号化して前記音声情報を再生すると共に、前記送信装置が前記コンテンツの映像情報を再生するＡＶ伝送装置であって、
前記送信装置は、
指定された遅延量だけ入力された映像情報の再生タイミングを遅延させる遅延部と、
入力された前記音声情報に包含された、再生タイミングのずれを検出するための基準信号を検出する音声入力検出部と、
前記音声入力検出部により検出された前記基準信号を、前記受信装置に対して送信した送信時刻を管理する送信時刻管理部と、
前記送信時刻管理部において管理されている前記送信時刻と、前記受信装置から受信した前記基準信号の再生時刻とから前記映像情報の遅延量を決定し、前記遅延部の遅延量を指定する遅延時間検出部と、を有し、
前記受信装置は、
前記基準信号が包含された前記音声信号を復号化する音声復号化部と、
前記音声復号化部において前記基準信号を再生したことを検出する音声再生検出部と、
前記音声再生検出部において検出された前記基準信号の前記再生時刻を管理し、前記再生時刻を前記送信装置に対して送信する再生時刻管理部と、を有し、
前記送信装置において、前記遅延時間検出部が、前記送信時刻と前記再生時刻とから、前記音声情報における符号化及び復号化遅延や、前記受信装置に伝送する際の伝送遅延に起因する前記映像情報と前記音声情報の再生タイミングのずれを補正することを特徴とするＡＶ伝送装置。
【請求項５】
コンテンツを再生するに際し、互いに情報の送受信を行うＡＶ送信装置とＡＶ受信装置において、前記ＡＶ送信装置がコンテンツの映像情報を符号化して前記ＡＶ受信装置に伝送し、前記ＡＶ受信装置が復号化して前記映像情報を再生すると共に、前記ＡＶ送信装置が前記コンテンツの音声情報を再生するＡＶ伝送装置を構成する前記ＡＶ送信装置であって、
指定された遅延量だけ入力された音声情報の再生タイミングを遅延させる遅延部と、
入力された前記映像情報に包含された、再生タイミングのずれを検出するための基準信号を検出する映像入力検出部と、
前記映像入力検出部により検出された前記基準信号を、前記ＡＶ受信装置に対して送信した送信時刻を管理する送信時刻管理部と、
前記送信時刻管理部において管理されている前記送信時刻と、前記ＡＶ受信装置から受信した前記ＡＶ受信装置において再生された前記基準信号の再生時刻とから前記音声情報の遅延量を決定し、前記遅延部の前記遅延量を指定する遅延時間検出部と、を有し、
前記遅延時間検出部が、前記送信時刻と前記再生時刻とから、前記映像情報における符号化及び復号化遅延や、前記ＡＶ受信装置に伝送する際の伝送遅延に起因する前記映像情報と前記音声情報の再生タイミングのずれを補正することを特徴とするＡＶ送信装置。
【請求項６】
コンテンツを再生するに際し、互いに情報の送受信を行うＡＶ送信装置とＡＶ受信装置において、前記ＡＶ送信装置がコンテンツの音声情報を符号化して前記ＡＶ受信装置に伝送し、前記ＡＶ受信装置が復号化して前記音声情報を再生すると共に、前記ＡＶ送信装置が前記コンテンツの映像情報を再生するＡＶ伝送装置を構成する前記ＡＶ送信装置であって、
指定された遅延量だけ入力された映像情報の再生タイミングを遅延させる遅延部と、
入力された前記音声情報に包含された、再生タイミングのずれを検出するための基準信号を検出する音声入力検出部と、
前記音声入力検出部により検出された前記基準信号を、前記ＡＶ受信装置に対して送信した送信時刻を管理する送信時刻管理部と、
前記送信時刻管理部において管理されている前記送信時刻と、前記ＡＶ受信装置から受信した前記ＡＶ受信装置において再生された前記基準信号の再生時刻とから前記映像情報の遅延量を決定し、前記遅延部の前記遅延量を指定する遅延時間検出部と、を有し、
前記遅延時間検出部が、前記送信時刻と前記再生時刻とから、前記音声情報における符号化及び復号化遅延や、前記ＡＶ受信装置に伝送する際の伝送遅延に起因する前記映像情報と前記音声情報の再生タイミングのずれを補正することを特徴とするＡＶ送信装置。
【発明の詳細な説明】
【０００１】
【発明の属する技術分野】
本発明は、ＡＶコンテンツを再生する際に生じる圧縮符号化・復号化による遅延及び伝送遅延に起因し、映像と音声との再生タイミングのずれを補正するためのＡＶ伝送方法及びＡＶ伝送装置、並びにＡＶ送信装置及びＡＶ受信装置に関する。
【０００２】
【従来の技術】
映像圧縮符号化規格であるＭＰＥＧ（Ｍｏｖｉｎｇ  Ｐｉｃｔｕｒｅ  Ｅｘｐｅｒｔｓ  Ｇｒｏｕｐ）において、映像と音声の再生タイミングを合わせるために、各情報に含まれる再生時刻管理情報を用いて同期を取ることが規定されている。同一機器内で映像と音声の両方のデコードを行って再生する場合には、再生時刻管理情報を比較することによって、容易に同期が確立できる。
【０００３】
このような映像と音声の再生タイミングの同期を取る方式は、特許文献１で開示されており、ビデオデコーダ及びオーディオデコーダから抽出したビデオ再生時刻管理情報及びオーディオ再生時刻管理情報から再生タイミングの差分を算出し、差分に応じてデコーダの動作クロック周波数を変動させることによって、映像と音声の再生タイミングの同期を確立することができる。
【０００４】
【特許文献１】
特開平９−３１２８３４号公報（図１、図４）
【０００５】
【発明が解決しようとする課題】
しかしながら、例えば無線プロジェクタにおいて、映像はＤＶＤプレーヤのようなリモートの再生機器からプロジェクタに無線伝送され、音声はＤＶＤプレーヤから直接アンプを介してアナログでスピーカに出力される。アンプとスピーカはケーブルで直接接続されている。映像信号はエンコード−無線−デコード−プロジェクタという経路を通ることになり、このままでは映像と音声の再生タイミングがずれるという問題が生じる。
【０００６】
また、映像の再生機器であるプロジェクタと、音声の再生機器であるアンプとが異なるため、従来のように再生時刻管理情報を比較して同期を取ることができないという問題がある。
【０００７】
本発明は、このような従来の問題点に鑑みてなされたものであって、無線プロジェクタなどにおいて、映像及び音声処理における符号化／復号化の回数や、無線などの伝送に起因した再生タイミングのずれが発生しても、視聴者から見て映像と音声との再生タイミングの同期が確立されたＡＶ伝送方式及びＡＶ伝送装置を実現することを目的とする。
【０００８】
【課題を解決するための手段】
本願の請求項１の発明は、コンテンツを再生するに際し、互いに情報の送受信を行う送信装置と受信装置において、前記送信装置がコンテンツの映像情報を符号化して前記受信装置に伝送し、前記受信装置が復号化して前記映像情報を再生すると共に、前記送信装置が前記コンテンツの音声情報を再生するＡＶ伝送方法であって、前記送信装置は、入力された前記映像情報に包含された、再生タイミングのずれを検出するための基準信号を検出して、前記受信装置に対して送信した前記基準信号の送信時刻を管理し、前記受信装置は、前記送信装置から送信された前記映像情報に包含された前記基準信号を再生して、再生した前記基準信号の再生時刻を前記送信装置に送信し、前記送信装置は、前記基準信号の前記送信時刻と、前記受信装置から受信した前記基準信号の前記再生時刻とから、前記映像情報の再生タイミングのずれを算出することにより前記音声情報の遅延量を決定し、決定された前記遅延量だけ入力された前記音声情報の再生タイミングを遅延させることにより、前記映像情報における符号化及び復号化遅延や、前記受信装置に伝送する際の伝送遅延に起因する前記映像情報と前記音声情報の再生タイミングのずれを補正することを特徴とする。
【０００９】
本願の請求項２の発明は、コンテンツを再生するに際し、互いに情報の送受信を行う送信装置と受信装置において、前記送信装置がコンテンツの音声情報を符号化して前記受信装置に伝送し、前記受信装置が復号化して前記音声情報を再生すると共に、前記送信装置が前記コンテンツの映像情報を再生するＡＶ伝送方法であって、前記送信装置は、入力された前記音声情報に包含された、再生タイミングのずれを検出するための基準信号を検出して、前記受信装置に対して送信した前記基準信号の送信時刻を管理し、前記受信装置は、前記送信装置から送信された前記音声情報に包含された前記基準信号を再生して、再生した前記基準信号の再生時刻を前記送信装置に送信し、前記送信装置は、前記基準信号の前記送信時刻と、前記受信装置から受信した前記基準信号の前記再生時刻とから、前記音声情報の再生タイミングのずれを算出することにより前記映像情報の遅延量を決定し、決定された前記遅延量だけ入力された前記映像情報の再生タイミングを遅延させることにより、前記音声情報における符号化及び復号化遅延や、前記受信装置に伝送する際の伝送遅延に起因する前記映像情報と前記音声情報の再生タイミングのずれを補正することを特徴とする。
【００１０】
本願の請求項３の発明は、コンテンツを再生するに際し、互いに情報の送受信を行う送信装置と受信装置において、前記送信装置がコンテンツの映像情報を符号化して前記受信装置に伝送し、前記受信装置が復号化して前記映像情報を再生すると共に、前記送信装置が前記コンテンツの音声情報を再生するＡＶ伝送装置であって、前記送信装置は、指定された遅延量だけ入力された音声情報の再生タイミングを遅延させる遅延部と、入力された前記映像情報に包含された、再生タイミングのずれを検出するための基準信号を検出する映像入力検出部と、前記映像入力検出部により検出された前記基準信号を、前記受信装置に対して送信した送信時刻を管理する送信時刻管理部と、前記送信時刻管理部において管理されている前記送信時刻と、前記受信装置から受信した前記基準信号の再生時刻とから前記音声情報の遅延量を決定し、前記遅延部の遅延量を指定する遅延時間検出部と、を有し、前記受信装置は、前記基準信号が包含された前記映像信号を復号化する映像復号化部と、前記映像復号化部において前記基準信号を再生したことを検出する映像再生検出部と、前記映像再生検出部において検出された前記基準信号の前記再生時刻を管理し、前記再生時刻を前記送信装置に対して送信する再生時刻管理部と、を有し、前記送信装置において、前記遅延時間検出部が、前記送信時刻と前記再生時刻とから、前記映像情報における符号化及び復号化遅延や、前記受信装置に伝送する際の伝送遅延に起因する前記映像情報と前記音声情報の再生タイミングのずれを補正することを特徴とする。
【００１１】
本願の請求項４の発明は、コンテンツを再生するに際し、互いに情報の送受信を行う送信装置と受信装置において、前記送信装置がコンテンツの音声情報を符号化して前記受信装置に伝送し、前記受信装置が復号化して前記音声情報を再生すると共に、前記送信装置が前記コンテンツの映像情報を再生するＡＶ伝送装置であって、前記送信装置は、指定された遅延量だけ入力された映像情報の再生タイミングを遅延させる遅延部と、入力された前記音声情報に包含された、再生タイミングのずれを検出するための基準信号を検出する音声入力検出部と、前記音声入力検出部により検出された前記基準信号を、前記受信装置に対して送信した送信時刻を管理する送信時刻管理部と、前記送信時刻管理部において管理されている前記送信時刻と、前記受信装置から受信した前記基準信号の再生時刻とから前記映像情報の遅延量を決定し、前記遅延部の遅延量を指定する遅延時間検出部と、を有し、前記受信装置は、前記基準信号が包含された前記音声信号を復号化する音声復号化部と、前記音声復号化部において前記基準信号を再生したことを検出する音声再生検出部と、前記音声再生検出部において検出された前記基準信号の前記再生時刻を管理し、前記再生時刻を前記送信装置に対して送信する再生時刻管理部と、を有し、前記送信装置において、前記遅延時間検出部が、前記送信時刻と前記再生時刻とから、前記音声情報における符号化及び復号化遅延や、前記受信装置に伝送する際の伝送遅延に起因する前記映像情報と前記音声情報の再生タイミングのずれを補正することを特徴とする。
【００１２】
本願の請求項５の発明は、コンテンツを再生するに際し、互いに情報の送受信を行うＡＶ送信装置とＡＶ受信装置において、前記ＡＶ送信装置がコンテンツの映像情報を符号化して前記ＡＶ受信装置に伝送し、前記ＡＶ受信装置が復号化して前記映像情報を再生すると共に、前記ＡＶ送信装置が前記コンテンツの音声情報を再生するＡＶ伝送装置を構成する前記ＡＶ送信装置であって、指定された遅延量だけ入力された音声情報の再生タイミングを遅延させる遅延部と、入力された前記映像情報に包含された、再生タイミングのずれを検出するための基準信号を検出する映像入力検出部と、前記映像入力検出部により検出された前記基準信号を、前記ＡＶ受信装置に対して送信した送信時刻を管理する送信時刻管理部と、前記送信時刻管理部において管理されている前記送信時刻と、前記ＡＶ受信装置から受信した前記ＡＶ受信装置において再生された前記基準信号の再生時刻とから前記音声情報の遅延量を決定し、前記遅延部の前記遅延量を指定する遅延時間検出部と、を有し、前記遅延時間検出部が、前記送信時刻と前記再生時刻とから、前記映像情報における符号化及び復号化遅延や、前記ＡＶ受信装置に伝送する際の伝送遅延に起因する前記映像情報と前記音声情報の再生タイミングのずれを補正することを特徴とする。
【００１３】
本願の請求項６の発明は、コンテンツを再生するに際し、互いに情報の送受信を行うＡＶ送信装置とＡＶ受信装置において、前記ＡＶ送信装置がコンテンツの音声情報を符号化して前記ＡＶ受信装置に伝送し、前記ＡＶ受信装置が復号化して前記音声情報を再生すると共に、前記ＡＶ送信装置が前記コンテンツの映像情報を再生するＡＶ伝送装置を構成する前記ＡＶ送信装置であって、指定された遅延量だけ入力された映像情報の再生タイミングを遅延させる遅延部と、入力された前記音声情報に包含された、再生タイミングのずれを検出するための基準信号を検出する音声入力検出部と、前記音声入力検出部により検出された前記基準信号を、前記ＡＶ受信装置に対して送信した送信時刻を管理する送信時刻管理部と、前記送信時刻管理部において管理されている前記送信時刻と、前記ＡＶ受信装置から受信した前記ＡＶ受信装置において再生された前記基準信号の再生時刻とから前記映像情報の遅延量を決定し、前記遅延部の前記遅延量を指定する遅延時間検出部と、を有し、前記遅延時間検出部が、前記送信時刻と前記再生時刻とから、前記音声情報における符号化及び復号化遅延や、前記ＡＶ受信装置に伝送する際の伝送遅延に起因する前記映像情報と前記音声情報の再生タイミングのずれを補正することを特徴とする。
【００９４】
上記のＡＶ伝送方法によれば、再生された映像及び音声信号から再生タイミングがどのくらいずれているのかを測定することによって、遅延量を算出し、同期を確立することができる。
【００９５】
また遅延測定用の信号として例えば映像信号が一定周期で白／黒画面が変化するパターンとし、音声信号は映像信号が白のときに正弦波を出力し、黒の時には何も出力しないというような信号を用いることによって、容易に遅延量を測定することができる。
【００９６】
更に、送信側と受信側とで基準時刻を共有し、その時間軸に従って送信側の符号化開始から受信側の再生までの遅延時間を測定し、遅延量を算出する。これにより、光センサやマイクなどの再生映像や再生音声を取り込む手段を用いることなく、再生タイミングのずれを算出することができる。
【００９７】
また、符号化・復号化の処理時間や伝送遅延時間に起因する再生タイミングのずれの量を測定した結果を記憶手段に格納しておき、一度測定した後は、起動時にその値を読み出して受信側から送信側にフィードバックすることによって遅延量を算出することができる。
【００９８】
【発明の実施の形態】
以下、本発明の実施の形態におけるＡＶ伝送装置及びＡＶ伝送方法、並びにＡＶ送信装置及びＡＶ受信装置について、図面を用いて説明する。
（実施の形態１）
図１は本発明の実施の形態１におけるＡＶ伝送装置の全体構成図である。このＡＶ伝送装置は無線送信装置（ＡＶ送信装置又は送信装置という）１０１Ａ及び無線受信装置（ＡＶ受信装置又は受信装置という）１０８Ａを有し、これに関連する機器としてＤＶＤプレーヤ１０５、アンプ１０６、スピーカ１０７、プロジェクタ１１３、スクリーン１１４が設けられている。無線送信装置１０１Ａは、映像信号を無線で送信するもので、無線部１０２、ＭＰＥＧ符号化部１０３、遅延部１０４を含んで構成される。無線受信装置１０８Ａは、無線で送信された映像信号を受信するもので、無線部１０９、ＭＰＥＧ復号化部１１０、比較部１１１、マイクロホン（以下、マイクという）１１２を含んで構成される。無線部１０２と無線部１０９は双方向に情報を送信することができる。
【００９９】
ＤＶＤプレーヤ１０５は、光ディスク（ＤＶＤ）に圧縮符号化記録された映像データ及び音声データを読み出し、伸長し、復号化してアナログの映像信号と音声信号とを出力する。プロジェクタ１１３は、入力された映像信号を液晶表示パネル（ＬＣＤ）やデジタルマイクロミラー（ＤＬＰ）に与え、光ビームに変換してスクリーン１１４に映像を投射するものである。プロジェクタ１１３は、ホームシアタの場合や会議室の場合には、その光ビームが映像の視聴者に遮られないようにするため、天井などに取り付けられることが多い。この場合、プロジェクタ１１３の電源は、予め天井に取り付けられたコンセントから供給される。一方、ＤＶＤプレーヤ１０５は、光ディスクの出し入れや、操作パネルから直接各種の操作を行うために、テーブルやＡＶケースに設置されることが多い。
【０１００】
したがって本実施の形態は、ＤＶＤプレーヤ１０５からの映像信号を、無線を介してプロジェクタ１１３に伝送し、プロジェクタ１１３で映像を再生する。音声信号は無線による伝送は行わず、直接アンプ１０６で増幅してスピーカ１０７から再生する形態とする。特に本実施の形態では、再生タイミングの同期のために必要な構成要素は、無線送信装置１０１Ａ側と無線受信装置１０８Ａ側とに分割して実装するものとする。
【０１０１】
以上のように構成されたＡＶ伝送装置の動作を述べる。ＤＶＤプレーヤ１０５の映像出力端子として、例えばプログレッシブ映像出力、コンポーネント映像出力、Ｄ１／Ｄ２映像出力、Ｓ映像出力、汎用の映像出力等の端子がそれぞれ用意されている。これらの出力端子から出力される映像信号は、光ディスクに記録された圧縮符号化信号（プログラムストリーム）が内蔵のデコーダで伸長復号化されたもので、これらの信号を以下の説明ではアナログ映像出力と呼ぶ。また映像出力は前記の出力端子のうち、いずれのものを用いても良い。このアナログ映像出力は一旦無線送信装置１０１Ａに与えられる。無線送信装置１０１Ａに入力されたアナログの映像信号は、無線ＬＡＮにおける誤り耐性の確保と、伝送信号量の削減のためにＭＰＥＧ符号化部１０３で圧縮符号化される。圧縮符号化された映像信号は、所定のフォーマットに変換され、無線部１０２によってワイヤレス伝送される。
【０１０２】
ワイヤレス伝送された圧縮映像信号は、無線受信装置１０８Ａで受信される。無線部１０９は、無線送信装置１０１Ａからの圧縮映像信号を受信し、ＭＰＥＧ復号化部１１０に入力する。ＭＰＥＧ復号化部１１０は圧縮映像信号を復号し、映像信号をプロジェクタ１１３に出力する。プロジェクタ１１３は、入力された映像信号を光ビームに変換し、スクリーン１１４に映像を投射する。
【０１０３】
一方、ＤＶＤプレーヤ１０５の音声出力端子として、マルチチャンネルのアナログ音声出力、同軸デジタル音声出力、光デジタル音声出力などの出力端子がそれぞれ用意されている。これらの信号についても、プレーヤから出力されるときには、伸長復号化されているので、アナログ音声出力と呼ぶ。こうしてＤＶＤプレーヤ１０５のアナログ音声出力は、遅延部１０４で遅延処理を受け、アンプ１０６に出力される。アンプ１０６は、複数チャネル、例えば５．１ｃｈサラウンドの音声信号処理を行い、各チャネルのスピーカ１０７に出力する。このような動作により、プロジェクタ１１３から投影された映像に対して、専用のＡＶアンプにより迫力ある音声が再生され、臨場感のある状態でコンテンツを楽しむことができる。
【０１０４】
次に、映像と音声の再生タイミングを同期させる処理について説明する。ＤＶＤプレーヤ１０５からのアナログ音声出力は直ちにアンプ１０６で増幅され、スピーカ１０７で再生される。これに対し、ＤＶＤプレーヤ１０５のアナログ映像出力はコーデック（ＣＯＤＥＣ）処理が行われる。即ち無線送信装置１０１から無線伝送により無線受信装置１０８Ａへ伝送される。このためコーデック処理と無線伝送とにより遅延が生じる。この遅延は無線受信装置１０８ＡのＭＰＥＧ復号化部１１０での信号処理の遅延も含まれる。これらの処理の後に映像がプロジェクタ１１３から再生される。本実施の形態では、これらの遅延時間を検出し、この遅延時間だけ音声信号の再生タイミングを遅延部１０４で遅延させることによって、映像と音声の再生タイミングの同期を確立する。
【０１０５】
無線受信装置１０８Ａに音声入力部として取り付けられたマイク１１２は、スピーカ１０７から出力された音声を取得する。マイク１１２が取得した音声信号は比較部１１１に入力される。また、比較部１１１には無線受信装置１０８Ａが再生する映像信号も入力される。比較部１１１は入力された映像信号と音声信号とから、映像と音声の再生タイミングのずれを検出する。
【０１０６】
再生タイミングのずれを検出するための検出用信号（較正用信号ともいう）の一例を図２に示す。図２（ａ）に示すように、検出用映像信号としてＮフレーム毎に白一色の映像と黒一色の映像とが交互に現れる信号を用いる。一方、図２（ｂ）に示すように、検出用音声信号として、映像が白一色の期間は音声信号、例えば正弦波が存在し、映像が黒一色の期間は音声信号が存在しないような信号（無音信号）を用いる。本実施の形態では、図２のような検出用信号が記録されたＤＶＤディスクをＤＶＤプレーヤ１０５で再生してもよい。また所望のコンテンツが記録された市販のＤＶＤディスクを再生する直前に、図２（ａ）、（ｂ）のような検出用信号を無線送信装置１０１Ａが出力するようにしてもよい。
【０１０７】
比較部１１１は、再生された検出用の映像信号と音声信号とを用いて、図２（ｃ）で示したような白一色の映像の開始タイミングと、これと同期した図２（ｄ）で示した音声の再生開始タイミングとの差分を検出する。上記の検出用信号はアナログ信号であるが、信号の性質としては白か黒か、或いは音声が有りか無しというデジタル的な性質を利用するため、タイミングの差分の検出は容易である。
【０１０８】
比較部１１１は、検出した再生タイミングのずれ量を遅延量として無線部１０９に通知する。無線部１０９は、比較部１１１から与えられた遅延量を無線により無線送信装置１０１Ａに伝送する。遅延量の伝送は、映像を伝送する無線伝送路において、逆方向の伝送路を用いて行う。
【０１０９】
無線送信装置１０１Ａの無線部１０２は、受信した信号から遅延量の情報を抽出し、遅延部１０４に転送する。遅延部１０４は与えられた遅延量だけ、入力された音声信号を遅延させ、アンプ１０６に出力する。
【０１１０】
ここで無線部１０９は、比較部１１１が検出した映像情報と音声情報の再生タイミングのずれ量を無線送信装置１０１Ａに対して送信する遅延量送信部の機能を達成している。また無線部１０２は、無線部１０９から受信した再生タイミングのずれ量を遅延部１０４に通知する遅延情報受信通知部の機能を達成している。
【０１１１】
以上のように本実施の形態によれば、音声の再生タイミングに対する映像の圧縮符号化及び復号化による遅延と、無線による伝送に起因した映像の再生タイミングの遅延を検出し、その遅延量を音声側にフィードバックすることによって、音声の再生タイミングを必要な時間だけ遅延させることが可能になる。こうして、映像と音声の再生タイミングの同期が確立され、再生タイミングのずれのないコンテンツの再生が可能になる。
【０１１２】
なお、本実施の形態では音声入力部をマイクとしたが、マイク以外の音声入力部でも同様の効果が得られる。例えば、ＲＣＡピンプラグのような汎用の有線入力部を用いて音声を検出してもよい。この場合、無線送信装置１０１Ａから出力される音声情報をケーブルを介して比較部１１１に入力する。
【０１１３】
また、本実施の形態ではＤＶＤプレーヤ１０５と無線送信装置１０１Ａとは別の機器としているが、無線送信装置１０１Ａの機能がＤＶＤプレーヤ１０５に内蔵されていても良い。更に、プロジェクタ１１３と無線受信装置１０８Ａとは別の機器としているが、無線受信装置１０８Ａの機能がプロジェクタ１１３に内蔵されていても良い。
【０１１４】
また、本実施の形態では、再生タイミングのずれを検出するための検出用信号は、ＤＶＤディスクからＤＶＤプレーヤ１０５で再生されるとしたが、前述したようにＤＶＤプレーヤ１０５に検出用信号を出力する機能を設けても同様の効果が得られる。この場合、再生タイミングのずれを検出するために、検出用信号を記録したＤＶＤディスクを用いるという制限がなくなる。
【０１１５】
また、本実施の形態では、再生タイミングのずれを検出する信号として図２のような検出用信号を用いたが、映像と音声の再生タイミングの関係が固定されているような信号であれば、他のパターンの信号でも同様の効果が得られる。
【０１１６】
本実施の形態のＡＶ伝送装置は、無線送信装置がコンテンツの音声情報を再生すると共に、コンテンツの映像情報を符号化して無線受信装置に伝送し、無線受信装置が復号化して映像情報を再生するものとした。しかし無線送信装置がコンテンツの映像情報を再生すると共に、コンテンツの音声情報を符号化して無線受信装置に伝送し、無線受信装置が復号化して音声情報を再生するものであっても良い。
【０１１７】
（実施の形態２）
次に本発明の実施の形態２におけるＡＶ伝送装置について説明する。図３は実施の形態２におけるＡＶ伝送装置の全体構成図である。実施の形態１と同じ機能部は同じ番号をつけ、詳細な説明は省略する。このＡＶ伝送装置は、送信側だけで遅延時間を測定できるようにしたものである。
【０１１８】
無線送信装置１０１Ｂは、ＭＰＥＧ符号化部１０３、遅延部１０４、光センサ３０１、比較部３０２、無線部３０３を含んで構成される。無線受信装置１０８Ｂは、無線部３０４、ＭＰＥＧ復号化部１１０を含んで構成される。またこれに関連する機器としてＤＶＤプレーヤ１０５、アンプ１０６、スピーカ１０７、プロジェクタ１１３、スクリーン１１４が設けられている。
【０１１９】
光センサ３０１は、無線受信装置１０８Ｂが再生する映像情報をスクリーン１１４からの反射光により検出する映像入力部である。比較部３０２は、実施の形態１と異なり、無線送信装置１０１Ｂに設けられる。比較部３０２は、光センサ３０１から入力された映像の検出信号と、無線送信装置１０１Ｂが出力する音声信号との再生タイミングの差分を検出し、この差分時間を遅延部１０４に通知する。無線部３０３は、実施の形態１のように無線受信装置から転送された遅延量を遅延部１０４に通知する機能は持たない。無線部３０４も、実施の形態１のように遅延量を無線送信装置１０１に転送する機能を持たない。
【０１２０】
本実施の形態は、ＤＶＤプレーヤ１０５からの映像信号を無線によりプロジェクタ１１３に伝送し、プロジェクタ１１３で映像を再生すると共に、音声は無線による伝送は行わず、直接アンプ１０６で増幅してスピーカ１０７から再生する形態とする。そして再生タイミングの同期のために必要な構成要素は、全て送信装置側に実装していることが特徴である。
【０１２１】
このように構成されたＡＶ伝送装置の動作を述べる。映像及び音声の再生されるまでの処理内容については、実施の形態１と同じであるため、説明を省略する。ここでは、映像と音声の再生タイミングを同期させる処理についてのみ説明する。ＤＶＤプレーヤ１０５から出力されたアナログ音声出力は直ちにアンプ１０６で増幅され、スピーカ１０７で再生される。これに対し、ＤＶＤプレーヤ１０５から出力されたアナログ映像出力は、ＭＰＥＧ符号化部１０３及びＭＰＥＧ復号化部１１０によるＣＯＤＥＣ処理による遅延、及び無線送信装置１０１Ｂから無線受信装置１０８Ｂへの無線伝送による遅延を受け、プロジェクタ１１３から映像が再生される。比較部３０２はこのような遅延量を検出し、遅延部１０４が遅延量だけ音声信号の再生タイミングを遅延させる。こうして映像と音声の再生タイミングの同期を確立する。
【０１２２】
このような処理において、光センサ３０１は、プロジェクタ１１４から投射された映像による反射光を検出する。光センサ３０１が検出した映像検出信号は比較部３０２に入力される。また、この比較部３０２には無線送信装置１０１Ｂが再生する音声信号も入力される。比較部３０２は、入力された映像検出信号と音声信号とから、映像と音声の再生タイミングのずれを検出する。
【０１２３】
比較部３０２は、検出した再生タイミングのずれを遅延量として遅延部１０４に通知する。遅延部１０４は、与えられた遅延量だけ、入力された音声信号を遅延させ、アンプ１０６に出力する。
【０１２４】
以上のように、本実施の形態によれば、音声の再生タイミングに対する映像の圧縮符号化及び復号化による遅延と、無線による伝送に起因した映像の再生タイミングの遅延を検出し、その遅延量を音声側にフィードバックすることによって、音声の再生タイミングを必要な時間だけ遅延させることが可能になる。こうして、映像と音声の再生タイミングの同期が確立され、再生タイミングのずれのないコンテンツの再生が可能になる。
【０１２５】
更に、再生タイミングのずれを検出する手段が全て無線送信装置１０１Ｂ側に実装されているため、無線受信装置１０８Ｂ側には、再生タイミングのずれを検出する検出手段を設けなくても、再生タイミングのずれを補正することが可能となる。
【０１２６】
なお、本実施の形態では映像入力部を光センサとしたが、光センサ以外の映像入力部でも同様の効果が得られる。例えば、ＲＣＡピンプラグのような汎用の端子を用いた有線による映像入力でも良い。
【０１２７】
本実施の形態のＡＶ伝送装置は、無線送信装置がコンテンツの音声情報を再生すると共に、コンテンツの映像情報を符号化して無線受信装置に伝送し、無線受信装置が復号化して映像情報を再生するものとした。しかし無線送信装置がコンテンツの映像情報を再生すると共に、コンテンツの音声情報を符号化して無線受信装置に伝送し、無線受信装置が復号化して音声情報を再生するものであっても良い。この場合光センサ３０１の代わりに、マイクを音声入力部として設ける。
【０１２８】
（実施の形態３）
次に本発明の実施の形態３におけるＡＶ伝送装置について説明する。図４は実施の形態３におけるＡＶ伝送装置の全体構成図である。実施の形態１、２と同じ機能部は同じ番号をつけ、詳細な説明は省略する。このＡＶ伝送装置は、比較部を設けず、調整部であるダイヤルを用いて手動で遅延調整をできるようしたものである。
【０１２９】
無線送信装置１０１Ｃは、ＭＰＥＧ符号化部１０３、遅延部１０４、無線部３０３に加えて、調整部として調整用のダイヤル４０１を含んで構成される。無線受信装置１０８Ｃは、ＭＰＥＧ復号化部１１０、無線部３０４を含んで構成される。またこれらに関連する機器としてＤＶＤプレーヤ１０５、アンプ１０６、スピーカ１０７、プロジェクタ１１３、スクリーン１１４が設けられている。ダイヤル４０１は音声の再生タイミングの遅延量を手動で調節するものであり、遅延部１０４に接続される。
【０１３０】
本実施の形態は、ＤＶＤプレーヤ１０５からの映像信号を無線によりプロジェクタ１１３に伝送し、プロジェクタ１１３で映像を再生すると共に、音声は無線による伝送は行わず、直接アンプ１０６で増幅してスピーカ１０７から再生する形態とする。また、再生タイミングの同期のために必要な構成要素は、ダイヤル４０１と遅延部１０４のみであることが特徴であり、この点が実施の形態１、２と異なる。
【０１３１】
このように構成されたＡＶ伝送装置の動作を述べる。映像及び音声の再生されるまでの処理内容については、実施の形態１、２と同じであるため、説明を省略する。ここでは、映像と音声の再生タイミングを同期させる処理についてのみ説明する。
【０１３２】
ＤＶＤプレーヤ１０５からのアナログ音声出力は直ちにアンプ１０６で増幅され、スピーカ１０７で再生される。これに対し、ＤＶＤプレーヤ１０５のアナログ映像出力はＭＰＥＧ符号化部１０３及びＭＰＥＧ復号化部１１０によるＣＯＤＥＣ処理による遅延、及び無線送信装置１０１から無線受信装置１０８への無線伝送による遅延を受け、プロジェクタ１１３から再生される。この遅延量に相当する遅延制御を、ダイヤル４０１を介して手動で行う。
【０１３３】
具体的には、映像と音声を再生し、その再生画面及び再生音声を視聴した上で、使用者がダイヤル４０１を操作する。ダイヤル４０１からの制御信号によって、遅延部１０４の遅延量が変化し、音声の再生タイミングが変化する。使用者は、この変化を眼と耳で確認しながら、映像の再生タイミングと音声の再生タイミングとが同期する位置でダイヤル４０１の調整値を固定する。
【０１３４】
本実施の形態によれば、音声の再生タイミングに対して、映像の圧縮符号化及び復号化による遅延と、無線伝送に起因する映像の再生タイミングの遅延とを検出し、その遅延量を音声側にフィードバックすることによって、音声の再生タイミングを必要な時間だけ遅延させることが可能になる。こうして、映像と音声の再生タイミングの同期が確立され、再生タイミングのずれのないコンテンツの再生が可能になる。
【０１３５】
更に、本実施の形態では、使用者が再生映像と音声を視聴しながらダイヤル４０１で再生タイミングのずれを調節するため、再生タイミングのずれを検出するための特別な手段がなくても補正が可能である。
【０１３６】
なお、本実施の形態では再生タイミングのずれを手動で調節する調整部としてダイヤル４０１を用いたが、他の調整部、例えばスイッチのようなものでも同様の効果が得られる。
【０１３７】
また、再生タイミングのずれを検出する信号は、図２のような検出用信号でも良いし、映画や音楽などのコンテンツを再生し、使用者が出演者や歌手の口の動きと、台詞や楽曲の音声出力とが一致するように調節しても良い。
【０１３８】
本実施の形態のＡＶ伝送装置は、無線送信装置がコンテンツの音声情報を再生すると共に、コンテンツの映像情報を符号化して無線受信装置に伝送し、無線受信装置が復号化して映像情報を再生するものとした。しかし無線送信装置がコンテンツの映像情報を再生すると共に、コンテンツの音声情報を符号化して無線受信装置に伝送し、無線受信装置が復号化して音声情報を再生するものであっても良い。
【０１３９】
（実施の形態４）
次に本発明の実施の形態４におけるＡＶ伝送装置について説明する。図５は実施の形態４におけるＡＶ伝送装置の全体構成図である。実施の形態１〜３と同じ機能部は同じ番号をつけ、詳細な説明は省略する。このＡＶ伝送装置は、位相可変の検出用信号を用いて遅延測定できるようにしたものである。
【０１４０】
無線送信装置１０１Ｄは、ＭＰＥＧ符号化部１０３、無線部５０１、遅延部５０２を含んで構成される。無線受信装置１０８Ｄは、ＭＰＥＧ復号化部１１０、比較部５０３、無線部５０４を含んで構成される。またこれらに関連する機器としてＤＶＤプレーヤ１０５、アンプ１０６、スピーカ１０７、プロジェクタ１１３、スクリーン１１４が設けられている。
【０１４１】
本実施の形態は、ＤＶＤプレーヤ１０５からの映像信号を無線によりプロジェクタ１１３に伝送し、プロジェクタ１１３で映像を再生すると共に、音声は無線による伝送は行わず、直接アンプ１０６で増幅してスピーカ１０７から再生する形態とする。また、遅延部５０２は入力された音声信号の再生タイミングを自立的に遅延量を変化させながら出力し、外部からの同期確立の通知を受けると、その時点での遅延量で固定することを特徴とする。この点が実施の形態１と異なる。
【０１４２】
このように構成されたＡＶ伝送装置の動作を述べる。映像及び音声の再生されるまでの処理内容については、実施の形態１と同じであるため、説明を省略する。ここでは、映像と音声の再生タイミングを同期させる処理についてのみ説明する。ＤＶＤプレーヤ１０５からのアナログ音声出力は、初期状態では直ちにアンプ１０６で増幅され、スピーカ１０７で再生される。これに対し、ＤＶＤプレーヤ１０５のアナログ映像出力は、ＭＰＥＧ符号化部１０３及びＭＰＥＧ復号化部１１０によるＣＯＤＥＣ処理による遅延、及び無線送信装置１０１Ｄから無線受信装置１０８Ｄへの無線伝送による遅延を受け、プロジェクタ１１３から再生される。比較部５０３がこの遅延量を検出し、その遅延量だけ遅延部５０２が音声情報の再生タイミングを遅延させることによって、映像と音声の再生タイミングの同期を確立する。
【０１４３】
再生タイミングのずれを検出するための検出用信号の一例を図２及び図６に示す。図２（ａ）、図６（ａ）に示すように、検出用映像信号としてＮフレーム毎に白一色の映像と黒一色の映像とが交互に現れる信号を入力する。一方、図２（ｂ）のように検出用音声信号として、映像が白一色の期間は音声信号が存在し、映像が黒一色の期間は音声信号が存在しないような信号を入力する。本実施の形態では、図２（ａ）、（ｂ）のような検出用信号が記録されたＤＶＤディスクをＤＶＤプレーヤ１０５で再生する。
【０１４４】
遅延部５０２は、入力された音声信号に対し、ある値の遅延を加えて出力する。例えば、図６（ｂ）〜（ｄ）に示したように、遅延をかける基本単位をα［ｍｓｅｃ］とすると、遅延０、遅延α、遅延２α、遅延３α、・・・と徐々に遅延時間を大きくしながら音声信号を出力する。
【０１４５】
比較部５０３は、再生された校正用の映像と音声において、図６で示したような白一色の映像の開始タイミングと、何らかの音声の再生が開始されるタイミングとの差分を検出する。上記の検出用信号はアナログ信号であるが、信号の性質としては白か黒か、或いは音声が有るか無いかというデジタル的な性質であるため、タイミングの差分の検出は容易である。
【０１４６】
比較部５０３は再生タイミングのずれが０になったことを検出すると、同期が確立したことを無線部５０４に通知する。無線部５０４は、比較部５０３から与えられた同期確立通知を無線により無線送信装置１０１Ｄに伝送する。遅延量の伝送は映像を伝送する無線伝送路において、逆方向の伝送路を用いて行う。
【０１４７】
無線送信装置１０１Ｄの無線部５０１は、受信した信号から同期確立通知を抽出し、遅延部５０２に通知する。遅延部５０２は、同期確立通知を受信した時点で遅延量の変更を停止し、遅延量をその時点の値で固定する。
【０１４８】
本実施の形態によれば、音声の再生タイミングに対する映像の圧縮符号化及び復号化による遅延と、無線伝送に起因した遅延とによる再生タイミングのずれが０になるように、音声側の最適な遅延量を検出することによって、音声の再生タイミングを必要な時間だけ遅延させることができる。こうして、映像と音声の再生タイミングの同期が確立され、再生タイミングのずれのないコンテンツの再生が可能になる。
【０１４９】
本実施の形態のＡＶ伝送装置は、無線送信装置がコンテンツの音声情報を再生すると共に、コンテンツの映像情報を符号化して無線受信装置に伝送し、無線受信装置が復号化して映像情報を再生するものとした。しかし無線送信装置がコンテンツの映像情報を再生すると共に、コンテンツの音声情報を符号化して無線受信装置に伝送し、無線受信装置が復号化して音声情報を再生するものであっても良い。この場合、遅延部５０２は入力された映像信号の再生タイミングを自立的に遅延量を変化させながら出力し、外部からの同期確立の通知を受けると、その時点での遅延量で固定する。
【０１５０】
（実施の形態５）
次に本発明の実施の形態５におけるＡＶ伝送装置について説明する。図７は実施の形態５におけるＡＶ伝送装置の全体構成図である。実施の形態１〜４と同じ機能部は同じ番号をつけ、詳細な説明は省略する。このＡＶ伝送装置は、比較部の代わりに記憶部を設け、予め記憶部に保持している遅延量を無線送信装置に通知するものである。
【０１５１】
無線送信装置１０１Ｅは、無線部１０２、ＭＰＥＧ符号化部７０３、遅延部７０４を含んで構成される。無線受信装置１０８Ｅは、記憶部７０１、ＭＰＥＧ復号化部７０２、無線部７０５を含んで構成される。またこれらに関連する機器としてＤＶＤプレーヤ１０５、アンプ１０６、スピーカ１０７、プロジェクタ１１３、スクリーン１１４が設けられている。
【０１５２】
本実施の形態は、ＤＶＤプレーヤ１０５からの映像信号を無線によりプロジェクタ１１３に伝送し、プロジェクタ１１３で映像を再生すると共に、音声は無線による伝送は行わず、直接アンプ１０６で増幅してスピーカ１０７から再生する形態とする。また、記憶部７０１は、映像の復号化遅延時間と、無線伝送遅延時間とを予め記憶する。無線部７０５は記憶部７０１に保持された遅延時間を無線送信装置１０１Ｅに通知するようになっていることが特徴であり、この点が実施の形態１と異なる。
【０１５３】
このように構成されたＡＶ伝送装置の動作を述べる。映像及び音声の再生されるまでの処理内容については、実施の形態１と同じであるため、説明を略する。ここでは、映像と音声の再生タイミングを同期させる処理についてのみ説明する。
【０１５４】
ＭＰＥＧ復号化部７０２は、入力された圧縮映像ストリームを復号するための処理時間（遅延時間）を記憶部７０１に通知する。また無線部７０５は、無線送信装置１０１Ｅと無線受信装置１０８Ｅとの間の無線伝送における伝送遅延時間を記憶部７０１に通知する。記憶部７０１は、通知された遅延時間を合計して、その値をＭＰＥＧ符号化以後の遅延量として無線部７０５を介して無線送信装置１０１Ｅに通知する。
【０１５５】
遅延部７０４は、無線部１０２を介して、ＭＰＥＧ符号化以後の遅延量を受信すると共に、ＭＰＥＧ符号化部７０３から映像信号を圧縮符号化するための処理時間（遅延時間）を入力する。そして、遅延部７０４は与えられた遅延時間の合計を総遅延時間とし、入力された音声情報の再生を総遅延時間だけ遅延させる。
【０１５６】
本実施の形態によれば、予め映像信号の無線伝送や復号化のための遅延時間の情報を受信装置側が保持しており、その情報を送信装置側にフィードバックすることによって映像と音声の再生タイミングのずれ量を認識し、音声信号の再生タイミングを遅延させるようにしている。こうすると、遅延時間測定のための手段を実装することなく、映像と音声の再生タイミングの同期が確立され、再生タイミングのずれのないコンテンツの再生が可能になる。
【０１５７】
本実施の形態のＡＶ伝送装置は、無線送信装置がコンテンツの音声情報を再生すると共に、コンテンツの映像情報を符号化して無線受信装置に伝送し、無線受信装置が復号化して映像情報を再生するものとした。しかし無線送信装置がコンテンツの映像情報を再生すると共に、コンテンツの音声情報を符号化して無線受信装置に伝送し、無線受信装置が復号化して音声情報を再生するものであっても良い。
【０１５８】
（実施の形態６）
次に本発明の実施の形態６におけるＡＶ伝送装置について説明する。図８は実施の形態６におけるＡＶ伝送装置の全体構成図である。実施の形態１〜５と同じ機能部は同じ番号をつけ、詳細な説明は省略する。このＡＶ伝送装置は、比較部を設けないで、音声情報及び映像情報にタイムスタンプである時刻の基準信号を挿入し、送信時刻と再生時刻の差分を計算することにより、遅延量を検出するものである。
【０１５９】
無線送信装置１０１Ｆは、ＭＰＥＧ符号化部１０３、遅延部１０４、映像入力検出部８０１、無線部８０２、送信時刻管理部８０３、遅延時間検出部８０４を含んで構成される。無線受信装置１０８Ｆは、無線部１０９、ＭＰＥＧ復号化部１１０、映像再生検出部８０５、再生時刻管理部８０６を含んで構成される。またこれらに関連する機器としてＤＶＤプレーヤ１０５、アンプ１０６、スピーカ１０７、プロジェクタ１１３、スクリーン１１４が設けられている。
【０１６０】
本実施の形態は、ＤＶＤプレーヤ１０５からの映像信号を無線によりプロジェクタ１１３に伝送し、プロジェクタ１１３で映像を再生すると共に、音声は無線による伝送は行わず、直接アンプ１０６で増幅してスピーカ１０７から再生する形態とする。また、送信装置から受信装置に時間情報を送信することにより、送受信装置間での時間軸を合わせる機能を持つことが第１の特徴である。また受信装置側で映像信号を再生した時刻を送信装置側にフィードバックし、送信装置側で映像信号を符号化した時刻との差分を求めることによって、音声の再生タイミングの遅延量を求めることが第２の特徴である。このような特徴をもつことが実施の形態１と異なる。
【０１６１】
このように構成されたＡＶ伝送装置の動作を述べる。映像及び音声の再生されるまでの処理内容については、実施の形態１と同じであるため、説明を省略する。ここでは、映像と音声の再生タイミングを同期させる処理についてのみ説明する。
【０１６２】
まず、無線送信装置１０１Ｆと無線受信装置１０８Ｆとの間で時間軸の同期をとる方法について説明する。図９（ａ）に示すように無線送信装置１０１Ｆは、無線ＬＡＮの規格であるＩＥＥＥ８０２．１１規格に従って、数ｍｓｅｃ〜数百ｍｓｅｃの間隔で周期的にＢｅａｃｏｎパケットをブロードキャストしている。Ｂｅａｃｏｎ信号には、無線送信装置１０１Ｆが持つ自走クロックにより管理されているタイムスタンプ情報が含まれている。再生時刻管理部８０６は、図９（ｂ）の実線で示す無線受信装置１０８Ｆのクロックを、図９（ｂ）の破線で示すＢｅａｃｏｎ信号から抽出したタイムスタンプ情報で補正することによって、無線送信装置１０１Ｆとの間で時間軸の同期を取る。
【０１６３】
次に、再生タイミングのずれを検出する方法について説明する。映像入力検出部８０１は、ＤＶＤプレーヤ１０５から遅延検出用の信号が入力されたことを検出し、送信時刻管理部８０３に通知する。送信時刻管理部８０３は、映像入力検出部８０１から通知された時点の無線送信装置１０１が管理する時刻の値を保持する。
【０１６４】
圧縮された遅延検出用の映像情報は無線受信装置１０８Ｆに伝送され、ＭＰＥＧ復号化部１１０から出力される。映像再生検出部８０５は、遅延検出用の映像信号が再生されたことを再生時刻管理部８０６に通知する。再生時刻管理部８０６は、映像再生検出部８０５から通知を受けた時点の無線受信装置１０８Ｆの時刻情報を、無線部１０９を介して無線送信装置１０１Ｆに伝送する。
【０１６５】
遅延時間検出部８０４は、再生時刻管理部８０６から受信した再生時刻と、送信時刻管理部８０３から取得した送信時刻との差分を計算する。この値がＤＶＤプレーヤ１０５から出力された映像が再生されるまでの遅延時間となる。遅延時間検出部８０４は、この値を遅延部１０４に通知する。遅延部１０４は、通知された遅延時間だけ音声の再生タイミングを遅延させて出力する。
【０１６６】
本実施の形態によれば、無線送信装置１０１Ｆと無線受信装置１０８Ｆとの間で、共通の時間軸情報を用いて映像情報の送信時刻と再生時刻との差分を求めることによって、映像の再生タイミングの遅延量を得ることができる。従って、音声や映像の入力部なしで、映像と音声の再生タイミングの同期をとることができる。
【０１６７】
（実施の形態７）
次に本発明の実施の形態７におけるＡＶ伝送装置について説明する。図１０は実施の形態７におけるＡＶ伝送装置の全体構成図である。このＡＶ伝送装置は、音声情報を受信装置に伝送し、映像情報は送信装置側で再生するものであり、実施の形態６と同様のタイムスタンプを利用するものである。
【０１６８】
このＡＶ伝送装置は無線送信装置１００１及び無線受信装置１０１１を有し、これに関連する機器としてＤＶＤプレーヤ１０５、アンプ１０６、スピーカ１０７、プロジェクタ１１３、スクリーン１１４が設けられている。無線送信装置１００１は、ＤＶＤプレーヤ１０５で再生された音声信号を無線で無線受信装置１０１１に送信するものである。
【０１６９】
無線送信装置１００１は、無線部１００２、ＭＰＥＧ符号化部１００３、遅延時間検出部１００４、送信時刻管理部１００５、音声入力検出部１００６、遅延部１００７を含んで構成される。無線受信装置１０１１は、ＭＰＥＧ復号化部１０１２、音声再生検出部１０１３、再生時刻管理部１０１４、無線部１０１５を含んで構成される。またこれらに関連する機器としてＤＶＤプレーヤ１００８、アンプ１０１６、スピーカ１０１７、プロジェクタ１００９、スクリーン１０１０が設けられている。
【０１７０】
本実施の形態は、ＤＶＤプレーヤ１００８からの音声信号を無線によりアンプ１０１６側に伝送し、スピーカ１０１７で音声を再生すると共に、映像は無線による伝送は行わず、ＤＶＤプレーヤ１００８から再生された映像信号を直接プロジェクタ１００９に入力し、映像を再生する形態とする。また、送信装置から受信装置に時間情報を送信することにより、送受信装置間での時間軸を合わせる機能を持つことを第１の特徴とする。また受信装置側で音声信号を再生した時刻を送信装置側にフィードバックし、送信装置側で音声信号を符号化した時刻との差分を求めることによって、映像の再生タイミングの遅延量を求めることを第２の特徴とする。このような特徴により、映像と音声との再生タイミングのずれを補正することができる。
【０１７１】
このように構成されたＡＶ伝送装置の動作を述べる。ＤＶＤプレーヤ１００８のアナログの音声出力は無線送信装置１００１に入力される。この音声信号は、ＭＰＥＧ符号化部１００３で圧縮符号化され、無線部１００２によってワイヤレス伝送される。
【０１７２】
ワイヤレス伝送された圧縮音声信号は、無線受信装置１０１１で受信される。無線部１０１５は、受信された圧縮音声信号をＭＰＥＧ復号化部１０１２に入力する。ＭＰＥＧ復号化部１０１２は圧縮音声信号を復号し、音声信号をアンプ１０１６に出力する。アンプ１０１６は入力された音声信号を増幅し、スピーカ１０１７に出力する。
【０１７３】
一方、ＤＶＤプレーヤ１００８のアナログの映像出力は、遅延部１００７を介してプロジェクタ１００９に出力される。プロジェクタ１００９は、入力された映像信号を光ビームに変換してスクリーン１０１０に映し出す。
【０１７４】
次に映像と音声の再生タイミングの同期をとる方法について説明する。まず、無線送信装置１００１と無線受信装置１０１１との間で時間軸の同期をとる方法について説明する。図９に示すように無線送信装置１００１は、無線ＬＡＮの規格であるＩＥＥＥ８０２．１１規格に従って、数ｍｓｅｃ〜数百ｍｓｅｃの間隔で周期的にＢｅａｃｏｎパケットをブロードキャストしている。Ｂｅａｃｏｎ信号には無線送信装置１００１が持つ自走クロックにより管理されているタイムスタンプ情報が含まれており、再生時刻管理部１０１４は、無線受信装置１０１１のクロックをＢｅａｃｏｎ信号から抽出したタイムスタンプ情報で補正することによって無線送信装置１００１との間で時間軸の同期を取る。
【０１７５】
次に、再生タイミングのずれを検出する方法について説明する。音声入力検出部１００６は、ＤＶＤプレーヤ１００８から遅延検出用の信号が入力されたことを検出し、送信時刻管理部１００５に通知する。送信時刻管理部１００５は、音声入力検出部１００６から通知された時点の、無線送信装置１００１が管理する時刻の値を保持する。
【０１７６】
ＭＰＥＧ符号化部１００３で圧縮された遅延検出用の音声信号は無線受信装置１０１１に伝送され、ＭＰＥＧ復号化部１０１２から出力される。音声再生検出部１０１３は、遅延検出用の音声信号が再生されたことを再生時刻管理部１０１４に通知する。再生時刻管理部１０１４は、音声再生検出部１０１３から通知を受けた時点の無線受信装置１０１１の時刻情報を、無線部１０１５を介して無線送信装置１００１に伝送する。
【０１７７】
遅延時間検出部１００４は、再生時刻管理部１０１４から与えられた再生時刻と、送信時刻管理部１００５から取得した送信時刻との差分を計算する。この値がＤＶＤプレーヤ１００８から出力された音声が受信装置側で再生されるまでの遅延時間となる。遅延時間検出部１００４は、この値を遅延部１００７に通知し、遅延部１００７が通知された時間だけ映像の再生タイミングを遅延させて再生する。
【０１７８】
本実施の形態によれば、無線ＬＡＮ規格において規定されているように、無線送信装置１００１と無線受信装置１０１１との間で同期している時間軸情報を用いて、音声情報の送信時刻と再生時刻との差分を求めることによって、音声の再生タイミングの遅延量を得ることができる。こうして、音声や映像の入力手段なしで、映像と音声の再生タイミングの同期をとることができる。
【０１７９】
（実施の形態８）
次に本発明の実施の形態８におけるＡＶ伝送装置について説明する。図１１は実施の形態８におけるＡＶ伝送装置の全体構成図である。実施の形態１〜６と同じ機能部は同じ番号をつけ、詳細な説明は省略する。このＡＶ伝送装置は、映像情報を受信装置に伝送し、音声は送信装置側が再生し、且つ遅延量の測定結果を蓄積部で保持するものである。
【０１８０】
無線送信装置１０１Ｇは、ＭＰＥＧ符号化部１０３、遅延部１０４、無線部１１０３を含んで構成される。無線受信装置１０８Ｇは、ＭＰＥＧ復号化部１１０、比較部１１１、マイク１１２、蓄積部１１０１、無線部１１０２を含んで構成される。またこれらに関連する機器としてＤＶＤプレーヤ１０５、アンプ１０６、スピーカ１０７、プロジェクタ１１３、スクリーン１１４が設けられている。
【０１８１】
本実施の形態は、ＤＶＤプレーヤ１０５からの映像信号を無線によりプロジェクタ１１３に伝送し、プロジェクタ１１３で映像を再生すると共に、音声は無線による伝送は行わず、有線接続されたアンプ１０６で増幅してスピーカ１０７から再生する形態とする。また、比較部１１１で測定した映像と音声との再生タイミングのずれ量を蓄積部１１０１に保持するところが特徴であり、この点が実施の形態１と異なる。
【０１８２】
このように構成されたＡＶ伝送装置の動作を述べる。映像及び音声の再生されるまでの処理内容については、実施の形態１と同じであるため、説明を省略する。ここでは、映像と音声の再生タイミングを同期させる処理について説明する。
【０１８３】
再生タイミングのずれを検出する方法は実施の形態１と同様である。比較部１１１で検出された映像と音声の再生タイミングのずれ量は、蓄積部１１０１に格納される。その後の映像と音声との再生タイミングの補正処理は、蓄積部１１０１に格納された再生タイミングのずれ量を用いて行う。即ち、無線送信装置１０１Ｇが起動すると、無線部１１０３は無線受信装置１０８Ｇに対して再生タイミングのずれを通知するように要求する。無線部１１０２は、このような通知要求を受信すると、蓄積部１１０１に格納されている、既に測定した再生タイミングのずれ量を読み出し、無線送信装置１０１Ｇに伝送する。無線部１１０３は、受信した再生タイミングのずれ量を遅延部１０４に通知する。遅延部１０４は指定された量だけ音声信号の出力を遅延させる。
【０１８４】
本実施の形態によれば、一度測定した映像と音声の再生タイミングのずれ量を蓄積部１１０１に保持しておく。以後の使用時には蓄積部１１０１に保持されているずれ量を遅延部１０４に通知することによって、映像と音声との再生タイミングの同期を確立する。従って、一度ずれ量を測定すれば、その後は再生タイミングのずれ量の測定や測定用信号の出力などの処理が不要となる。
【０１８５】
なお、本実施の形態では、蓄積部１１０１は無線受信装置１０８Ｇの内部にあるとしたが、蓄積部は無線送信装置１０１Ｇ側にあっても同様の効果が得られる。また、蓄積部１１０１として、フレキシブルディスクやＳＤメモリカードのような着脱可能な記憶素子を用いても良い。
【０１８６】
【発明の効果】
以上のように本発明によれば、映像と音声とで符号化／復号化の回数や無線などによる伝送に起因した再生タイミングのずれが発生しても、映像と音声との再生タイミングの同期を確立できる。
【０１８７】
また、送信装置から出力された検出用信号を用いることによって、容易に遅延量を測定することができる。
【０１８９】
また、予め保持している符号化・復号化の処理時間や伝送遅延時間を受信側から送信側にフィードバックすることによって、光センサやマイクなどの再生映像や再生音声を取り込む手段を用いることなく、再生タイミングのずれを算出することができる。
【０１９０】
また、送信側と受信側とで基準時刻を共有し、その時間軸に従って送信側の符号化開始から受信側の再生までの遅延時間を算出して遅延量を算出する。これにより、予め符号化・復号化による処理遅延や伝送遅延が分かっていなくても、光センサやマイクなどの再生映像や再生音声を取り込む手段を用いることなく、再生タイミングのずれを算出することができる。
【図面の簡単な説明】
【図１】本発明の実施の形態１におけるＡＶ伝送装置の全体構成図である。
【図２】映像と音声の再生タイミングのずれを検出する原理図である。
【図３】本発明の実施の形態２におけるＡＶ伝送装置の全体構成図である。
【図４】本発明の実施の形態３におけるＡＶ伝送装置の全体構成図である。
【図５】本発明の実施の形態４におけるＡＶ伝送装置の全体構成図である。
【図６】実施の形態４における映像と音声の再生タイミングのずれを検出する原理図である。
【図７】本発明の実施の形態５におけるＡＶ伝送装置の全体構成図である。
【図８】本発明の実施の形態６におけるＡＶ伝送装置の全体構成図である。
【図９】本発明の実施の形態６及び７における送信側と受信側の基準時刻を同期させる原理図である。
【図１０】本発明の実施の形態７におけるＡＶ伝送装置の全体構成図である。
【図１１】本発明の実施の形態８におけるＡＶ伝送装置の全体構成図である。
【符号の説明】
１０１Ａ、１０１Ｂ、１０１Ｃ、１０１Ｄ、１０１Ｅ、１０１Ｆ、１０１Ｇ，１００１  無線送信装置
１０２，１０９，３０３，３０４，５０１，５０４，７０５，８０２，１００２，１０１５，１１０２，１１０３  無線部
１０３，７０３，１００３  ＭＰＥＧ符号化部
１０４，５０２，１００７，７０４  遅延部
１０５，１００８  ＤＶＤプレーヤ
１０６，１０１６  アンプ
１０７，１０１７  スピーカ
１０８Ａ、１０８Ｂ、１０８Ｃ、１０８Ｄ、１０８Ｅ、１０８Ｆ、１０８Ｇ、１０１１  無線受信装置
１１０，７０２，１０１２  ＭＰＥＧ復号化部
１１１，３０２，５０３  比較部
１１２  マイク
１１３，１００９  プロジェクタ
１１４，１０１０  スクリーン
３０１  光センサ
４０１  ダイヤル
７０１  記憶部
８０１  映像入力検出部
８０３，１００５  送信時刻管理部
８０４，１００４  遅延時間検出部
８０５  映像再生検出部
８０６  再生時刻管理部
１００６  音声入力検出部
１０１３  音声再生検出部
１０１４  再生時刻管理部
１１０１  蓄積部
【図１】
0004256710.tif 000002
【図２】
0004256710.tif 000003
【図３】
0004256710.tif 000004
【図４】
0004256710.tif 000005
【図５】
0004256710.tif 000006
【図６】
0004256710.tif 000007
【図７】
0004256710.tif 000008
【図８】
0004256710.tif 000009
【図９】
0004256710.tif 000010
【図１０】
0004256710.tif 000011
【図１１】
0004256710.tif 000012